(57)【要約】      （修正有）【課題】構造が簡単で、使用安全性を向上させる絞り器のブランキング装置を提供する。【解決手段】ブランキング装置は、供給通路２００、供給通路２００の上部ポートに接続されるブランキング板３００と蓋板ユニット４００を含み、蓋板ユニット４００は、蓋板及び大容量の収容室４３０を含み、蓋板外形は、ブランキング板３００の内壁と嵌合し且つ供給口４２０が設けられ、回転的にブランキング板３００の内壁に設けられる。大容量の収容室４３０は、蓋板の上面に設けられ、断面積は、供給口４２０の面積より大きく、供給口４２０を囲むダッシュパネルにより形成される。蓋板ユニット４００を回転することにより、大容量の収容室４２０の開口部を供給通路２００に向かせ、且つその中に搭載される果物や野菜を供給通路２００に投入する。【選択図】図２
0003214976.tif 000002
【実用新案登録請求の範囲】
【請求項１】
供給通路と前記供給通路の上部ポートに接続されるブランキング板を含み、
さらに外形が前記ブランキング板の内壁と嵌合し、供給口が設けられ、前記ブランキング板の内壁に回動的に設けられる蓋板と、
前記蓋板の上面に設けられ、断面積が前記供給口の面積より大きく、前記供給口を囲むダッシュパネルにより形成される大容量の収容室を含む蓋板ユニットを含み、
前記蓋板ユニットを回転することにより、前記大容量の収容室の開口部を上向きから下向きに変えて前記供給通路に向かせ、且つその中に搭載される果物や野菜を前記供給通路に投入する搾り器のブランキング装置。
【請求項２】
前記供給板の上部エッジに係止コイルが固定されることと、
前記蓋板ユニットの両側に回転軸付きの固定ベースが設けられ、前記固定ベースが前記係止コイルに回動的に設けられることと、
前記係止コイルの上面に設けられるロック部材の上下移動により、前記固定ベースと係合させ又は緩ませ、前記蓋板ユニットが回転可能な状態又はロック状態にあることを実現することと、を特徴とする請求項１に記載の搾り器のブランキング装置。
【請求項３】
前記係止コイルの相対する両側に下向きに延伸するラグがそれぞれ設けられることと、
前記ブランキング板の二つの相対する側面に前記ブランキング板の上面と連通する半円開口がそれぞれ設けられ、外側に前記ラグと一致するＵ字状耳プラコードが設けられ、前記ラグが前記Ｕ字型耳プラコード内に配置されて固定されることと、を特徴とする請求項２に記載の搾り器のブランキング装置。
【請求項４】
平板状を呈する押圧部と、
前記押圧部の底面の一側に設けられ、下部エッジが前記固定ベースと嵌合する係止板と、
前記押圧部の底面の他側に設けられる弾性ストッパ板に上下に配置される二つのストッパ溝が設けられ、前記係止コイルの上面に前記係止板と弾性ストッパ板と嵌合する挿入孔が設けられ、前記挿入孔の内壁に前記ストッパ溝と嵌合するストッパーブロックが設けられ、前記係止板と弾性ストッパ板は、前記挿入孔内に挿入され、前記ロック部材の上下移動により、前記ストッパーブロックがその中の一つの前記ストッパ溝内に係合され、同時に前記係止板を前記固定ベースと嵌合させ又は緩ませ、前記蓋板ユニットが回転可能な状態又はロック状態にあることを実現することを含む前記ロック部材を特徴とする請求項２に記載の搾り器のブランキング装置。
【請求項５】
前記蓋板の両側面にピン軸がそれぞれ固定的に設けられ、前記ピン軸が前記固定ベースに伸び且つ係合して固定され、前記固定ベースの外側面に回転軸が設けられ、前記ラグ内に回動台が固定的に設けられ、前記回転軸は、前記回動台内に回動的に設けられることを特徴とする請求項２に記載の搾り器のブランキング装置。
【請求項６】
前記ダッシュパネルの相対する両側面にＵ字状開口がそれぞれ設けられることを特徴とする請求項１に記載の搾り器のブランキング装置。
【請求項７】
前記蓋板の底面に大容量の収容室が設けられることを特徴とする請求項１に記載の搾り器のブランキング装置。
【請求項８】
前記供給板の上部エッジが前記ダッシュパネルの上部エッジより低いことを特徴とする請求項１に記載の搾り器のブランキング装置。
【請求項９】
搾り器本体を含み、さらに請求項１〜８のいずれかの搾り器本体に設けられる前記搾り器のブランキング装置を含むことを特徴とする搾り器。
【考案の詳細な説明】
【技術分野】
【０００１】
本考案は、搾り器に関し、具体的には搾り器及びそのブランキング装置に関する。
【背景技術】
【０００２】
現在の市場における家庭用搾り器は、主に高速遠心機と緩速原搾り汁器に分かれる。国家安全規格に応じ、従来の高速遠心機の供給口は、カッター工具より少なくとも１００ｍｍ高い必要があり、且つ断面寸法には相応する要求もある。最大と最小の断面寸法の平均値は、６５．５ｍｍを超えることができず、最大断面は、７６ｍｍを超えない。緩速原搾り汁器の供給口は、供給スクリュー上方より少なくとも１００ｍｍ高い必要があり、測定ホッパの最大断面寸法は、４５ｍｍを超えることができなく、且つ供給口に入れるプッシャを提供する必要もある。
【０００３】
この点から見ると、現在では、従来の高速遠心式を問わず、緩速原搾り汁器を問わず、直径が７５ｍｍより大きい果物や野菜を直接絞り取ることができず、日常生活における多くの果物、例えばリンゴ、オンレンジ、ナシなどの直径がいずれも７５ｍｍを超え、人間は、このような果物を要求に合致する小ブロックに切って搾り器によりジュースを作製することができ、時間と手間がかかり、人間に不都合さをもたらすおそれがある。それにより現在の搾り器は、直接大きな果物や野菜を絞り取ることができない問題が存在する。
【考案の概要】
【考案が解決しようとする課題】
【０００４】
本考案が解決しようとする技術課題は、現在の搾り器が外形の大きな果物や野菜を絞り取ることができないという問題である。
【課題を解決するための手段】
【０００５】
上記技術課題を解決するために、本考案の用いる技術的解決手段は、供給通路及び前記供給通路の上部ポートに接続されるブランキング板と、
さらに外形が前記ブランキング板の内壁と嵌合し、供給口が設けられ、前記ブランキング板の内壁に回動的に設けられる蓋板と、
前記蓋板の上面に設けられ、断面積が前記供給口の面積より大きく、前記供給口を囲むダッシュパネルにより形成される大容量の収容室と、を含む蓋板ユニットを含む搾り器のブランキング装置を提供し、
蓋板ユニットを回転することにより、前記大容量の収容室の開口部を上向きから下向きに変えて前記供給通路に向かせ、且つその中に搭載される果物や野菜を前記供給通路内に投入する。
【０００６】
上記搾り器のブランキング装置において、前記供給板の上部エッジに係止コイルが固定される。
【０００７】
前記蓋板ユニットの両側に回転軸付きの固定ベースが設けられ、前記固定ベースが前記係止コイルに回動的に設けられる。
【０００８】
前記係止コイルの上面に上下移動により前記固定ベースと係合させ又は緩ませるロック部材が設けられ、前記蓋板ユニットが回転可能な状態又はロック状態にあることを実現する。
【０００９】
上記搾り器のブランキング装置において、前記係止コイルの相対する両側に下向きに延伸するラグがそれぞれ設けられる。
【００１０】
前記ブランキング板の二つの相対する側面に前記ブランキング板の上面と連通する半円開口が設けられ、前記半円開口の外側に前記ラグと一致するＵ字状耳プラコードが設けられ、前記ラグは、前記Ｕ字状耳プラコードに配置されて固定される。
【００１１】
上記搾り器のブランキング装置において、前記ロック部材は、
平板状を呈する押圧部と、
前記押圧部の底面の一側に設けられ、下部エッジが前記固定ベースと嵌合する係止板と、
前記押圧部の底面の他側に設けられる弾性ストッパ板に上下に配置される二つのストッパ溝が設けられ、前記係止コイルの上面に前記係止板と弾性ストッパ板と一致する挿入孔が設けられ、前記挿入孔の内壁に前記ストッパ溝と嵌合するストッパーブロックが設けられ、前記係止板と弾性ストッパ板は、前記挿入孔内に挿入され、前記ロック部材の上下移動により、前記ストッパーブロックは、その中の一つの前記ストッパ溝内に係合され、同時に前記係止板を前記固定ベースと係合させ又は緩ませ、前記蓋板ユニットが回転可能な状態又はロック状態にあることを実現することを含む。
【００１２】
上記搾り器のブランキング装置において、前記蓋板の両側面にピン軸がそれぞれ固定的に設けられ、前記ピン軸は、前記固定ベースに延伸し且つ係合して固定され、前記固定ベースの外側面に回転軸が設けられ、前記ラグ内に回動ベースが固定的に設けられ、前記回転軸は、前記回動ベース内に回転的に設けられる。
【００１３】
上記搾り器のブランキング装置において、前記ダッシュパネルの相対する両側面にＵ字状開口部がそれぞれ設けられる。
【００１４】
上記搾り器のブランキング装置において、前記蓋板の底面に大容量の収容室も設けられる。
【００１５】
上記搾り器のブランキング装置において、前記供給板の上部エッジが前記ダッシュパネルの上部エッジより低い。
【００１６】
本考案は、さらに搾り器を提供し、前記搾り器本体と上記構造の搾り器のブランキング装置を含み、前記搾り器のブランキング装置は、搾り器本体に設けられる。
【００１７】
本考案は、ブランキング板の供給口に回転可能な蓋板ユニットが設けられ、蓋板ユニットは、供給口とダッシュパネルにより形成される大容量の収容室を有し、外形の小さい果物や野菜が直接供給口により供給板内に落下され、例えば、リンゴ、ナシ等の供給口に通じられない果物や野菜が大容量の収容室に置かれ、蓋板ユニットを回転することによりそれを供給板に落下することができ、小ブロックに切る必要がなく、時間と手間を省き、大容量の収容室は子供が手を供給板又は供給通路の内部に入れることを防止することができる。それにより該ブランキング装置は使用しやすく、構造が簡単であるだけでなく、且つ使用安全性も向上させる。
【図面の簡単な説明】
【００１８】
【図１】本考案における搾り器の概略構成図。
【図２】本考案においてブランキング装置が押し出しロッドを除去した後の概略構成図。
【図３】本考案における蓋板及び係止コイルの分解構成図。
【図４】本考案における供給通路とブランキング板の概略構成図。
【図５】本考案における係止コイルの概略構成図。
【図６】図５におけるＡ部拡大図。
【図７】本考案におけるロック部材の概略構成図。
【図８】本考案における固定ベースと回転ベースの分解構成図。
【考案を実施するための形態】
【００１９】
本考案の用いる技術的解決手段は、搾り器及びそのブランキング装置を提供し、該ブランキング装置を利用し、砕いた小ブロックの果物や野菜を搾り器に搬送することができるだけでなく、さらにリンゴ、ナシ等の大きな果物を搾り器に搬送することができ、小ブロックに切る必要がなく、構造が簡単で、使用しやすく且つ使用安全性を向上させる。以下で具体的実施例及び説明書添付図により本考案を具体的に説明する。
【００２０】
図１に示すように、本考案の提供する搾り器は、搾り器本体１００とブランキング装置を含み、搾り器本体１００は、モータを内蔵するベースとベースに設けられる搾り部材を含み、搾り部材は、モータと一致し、ブランキング装置は、供給通路２００、ブランキング板３００と蓋板ユニット４００からなり、ブランキング板３００の下部は、供給通路２００の上部ポートと接続し且つ両者が一体的に成形し、供給通路２００は、適当な位置に回動することにより搾り部材に係着され、蓋板ユニット４００の外形は、ブランキング板３００の上部内壁の形状と嵌合してブランキング板３００の上部ポートを密封し、蓋板ユニット４００は、ブランキング板３００の内壁に回転的に設けられる。
【００２１】
図３及び図５に示すように、ブランキング板３００の上部エッジに係止コイル３１０が固定される。係止コイル３１０の二つの相対する側面に下向きに延伸するラグ３１１がそれぞれ設けられ、ブランキング板３００の二つの相対する側面にブランキング板の上面と連通する半円開口３２０がそれぞれ設けられ、半円開口３２０の外側にＵ字状耳プラコード３３０が設けられ、ラグ３１１は、Ｕ字状耳プラコード３３０内に置かれ且つそれと螺着して固定される。
【００２２】
図４及び図５を参照し、係止コイル３１０の一つのラグ３１１の上面に一つの挿入口が設けられ、挿入口内にロック部材５００が挿入され、ロック部材５００の上下移動により蓋板ユニット４００が回転可能な状態又はロック状態にあることを制御することができる。
【００２３】
ロック部材５００の構造は、図６に示すように、その上部は、平板状を有する押圧部５１０であり、押圧部５１０の底面に下向きに突出する係止板５２０と弾性ストッパ板５３０がそれぞれ設けられ、係止板５２０と弾性ストッパ板５３０は、平行して対向する両側に位置し、係止板５２０の下部エッジは、固定ベース４５０の上部エッジの形と嵌合し、弾性ストッパ板５３０に複数のストッパ溝５３１が設けられ、挿入口の内壁にストッパ溝５３１と嵌合するストッパーブロック３１２が設けられる。
【００２４】
本考案におけるストッパ溝５３１の数は、２つであり、上下に配置し、上下に配置される二つのストッパ溝５３１とストッパーブロック３１２との嵌合により、蓋板ユニット４００がブランキング板３００において回転するか否かを制御することができ、例えば、下向きにロック部材５００を押圧し、それを係止コイル３１０内に完全に押込み、上部に位置するストッパ溝５３１は、ストッパーブロック３１２と係合し、係止板５２０は、固定ベース４５０の上部エッジと完全に係合し、蓋板ユニット４００は、ブランキング板３００内において回転できずにロックされる。ロック部材５００を上向きに引き抜き、下部に位置するストッパ溝５３１をストッパーブロック３１２と係合させ、係止板５２０と固定ベース４５０を緩め、蓋板ユニット４００は、ブランキング板３００内において自在に回転することができる。
【００２５】
図１、図２及び図４を参照し、蓋板ユニット４００は、蓋板とダッシュパネルにより形成される大容量の収容室４３０を含み、蓋板の中心部に供給口４２０が設けられ、供給口４２０も蓋板の中心部に設けられなくてもよく、供給口４２０は、円形貫通孔であり、直径が約４０ｍｍである。ダッシュパネルは、蓋板の上面と底面において供給口４２０を囲んで対称的に設けられ、ダッシュパネルは、蓋板の上面のみに設けられてもよく、蓋板の上面と底面にいずれも大容量の収容室４３０が設けられ、一次回動後本来の状態に戻さなくても使用し続けることができ、使用効率を向上させる。
【００２６】
ダッシュパネルは、滑らかな四角形を呈し、高さが約６０ｍｍであり、ダッシュパネル内に外形が大きな（最大径が供給口より大きい）果物や野菜が置かれ、ダッシュパネルの二つの相対する側板にいずれもＵ字状開口４３１が設けられ、使用者が大きな果物を出し入れしやすい。ダッシュパネルは、子供が手を供給板又は供給通路の内部に入れることを防止することができ、搾り器の作業の安全性を確保する。供給口４２０内に押し出しロッド４１０が挿入され、押し出しロッド４１０は、果物や野菜を押して下向きに搬送することができ、供給口４２０を密封する役割も有し、搾り器内部環境のクリーン衛生を確保する。
【００２７】
図７、図４に示すように、蓋板ユニット４００の両端にピン軸４４０が設けられ、ピン軸４４０に固定ベース４５０が固定的に設けられ、ピン軸４４０が固定ベース４５０内に突入し且つ係合して固定され、固定ベース４５０の外側面に回転軸４５１が設けられる。固定ベース４５０の外側面に上下対称な二つの小さな凹部が設けられ、回転ベース３３０におけるロックピンと嵌合して位置決めの機能を奏することに用いる。
【００２８】
ラグ３１１と耳プラコード３１１により囲まれるキャビティ内に回動ベース３３０が設けられ、その上部両側が係止コイル３１０のラグ３１１内に螺着され、下部に回転軸４５１と支柱４５２と一致する支持部３３１と支持孔３３２が設けられ、支持孔３３２にスプリング付きの丸頭ロックピン３４０が設けられ、丸頭丸頭ロックピン３４０の丸頭部が支持孔３３２を突出して固定ベース４５０の外側面に突き当てる。回転軸４５１と回転ベース３３０は、回転して嵌合し、蓋板ユニット４００は、回転ベース３３０を回して回動することができる。蓋板ユニットは、初期の水平位置又は１８０°反転した後の水平位置に位置する際、丸頭ピン軸３４０は、固定ベース４５０に相応する凹部に突き当て、それにより蓋板ユニットが正確に位置付ける。
【００２９】
以下は、本考案の具体的な使用方法である。
（１）小ブロックに切り又は直径が小さな果物や野菜に対し、蓋板ユニットの中心部の供給口４２０から直接投入し、果物や野菜は、ブランキング板３００と供給通路２００により搾り器本体１００に入り、モータを起動して絞り取る。
（２）直径が大きな果物や野菜に対し、まずそれを大容量の収容室４３０内に投入し、その後で上向きにロック部材５００を引き抜き、ダッシュパネルを回してそれを１８０°回動させ、大容量の収容室４３０の開口を供給通路２００に向かせ、且つその中に搭載される果物や野菜を供給通路２００内に投入し、外形が大きな果物や野菜は、ブランキング板３００と供給通路２００により搾り器本体１００に入る。ロック部材５００を押して蓋板ユニット４００をロックしてそれを回転させずに、モータを起動して絞り取る。
【００３０】
以上から見ると、本考案は、砕いた小ブロック果物や野菜を搾り器に搬送することができ、リンゴやナシ等の大きな果物を搾り器に搬送することもでき、外形が大きな果物や野菜を搾り器内に入れる問題を解決し、それを小ブロックに切る必要がなく、人間の時間と手間を大幅に省き、且つロック部材により蓋板を固定させて一般的な搾り器として用いることができ、構造が簡単で、使用しやすいだけでなく、同時に高い安全性を有し、実用性が強い。
【００３１】
本考案は上記最適な実施形態に限らず、誰でも本考案の示唆に基づく構造変化を知るべきで、本考案と同様又は類似の技術的解決手段は、いずれも本考案の保護範囲に属する。
【図１】
0003214976.tif 000003
【図２】
0003214976.tif 000004
【図３】
0003214976.tif 000005
【図４】
0003214976.tif 000006
【図５】
0003214976.tif 000007
【図６】
0003214976.tif 000008
【図７】
0003214976.tif 000009
【図８】
0003214976.tif 000010
【手続補正書】
【提出日】平成29年11月24日(2017.11.24)
【手続補正１】
【補正対象書類名】実用新案登録請求の範囲
【補正対象項目名】全文
【補正方法】変更
【補正の内容】
【実用新案登録請求の範囲】
【請求項１】
供給通路と前記供給通路の上部ポートに接続されるブランキング板を含み、
さらに外形が前記ブランキング板の内壁と嵌合し、供給口が設けられ、前記ブランキング板の内壁に回動的に設けられる蓋板と、
前記蓋板の上面に設けられ、断面積が前記供給口の面積より大きく、前記供給口を囲むダッシュパネルにより形成される大容量の収容室を含む蓋板ユニットを含み、
前記蓋板ユニットを回転することにより、前記大容量の収容室の開口部を上向きから下向きに変えて前記供給通路に向かせ、且つその中に搭載される果物や野菜を前記供給通路に投入する搾り器のブランキング装置。
【請求項２】
前記ブランキング板の上部エッジに係止コイルが固定されることと、
前記蓋板ユニットの両側に回転軸付きの固定ベースが設けられ、前記固定ベースが前記係止コイルに回動的に設けられることと、
前記係止コイルの上面に設けられるロック部材の上下移動により、前記固定ベースと係合させ又は緩ませ、前記蓋板ユニットが回転可能な状態又はロック状態にあることを実現することと、を特徴とする請求項１に記載の搾り器のブランキング装置。
【請求項３】
前記係止コイルの相対する両側に下向きに延伸するラグがそれぞれ設けられることと、
前記ブランキング板の二つの相対する側面に前記ブランキング板の上面と連通する半円開口がそれぞれ設けられ、外側に前記ラグと一致するＵ字状耳プラコードが設けられ、前記ラグが前記Ｕ字状耳プラコード内に配置されて固定されることと、を特徴とする請求項２に記載の搾り器のブランキング装置。
【請求項４】
平板状を呈する押圧部と、
前記押圧部の底面の一側に設けられ、下部エッジが前記固定ベースと嵌合する係止板と、
前記押圧部の底面の他側に設けられる弾性ストッパ板に上下に配置される二つのストッパ溝が設けられ、前記係止コイルの上面に前記係止板と弾性ストッパ板と嵌合する挿入孔が設けられ、前記挿入孔の内壁に前記ストッパ溝と嵌合するストッパーブロックが設けられ、前記係止板と弾性ストッパ板は、前記挿入孔内に挿入され、前記ロック部材の上下移動により、前記ストッパーブロックがその中の一つの前記ストッパ溝内に係合され、同時に前記係止板を前記固定ベースと嵌合させ又は緩ませ、前記蓋板ユニットが回転可能な状態又はロック状態にあることを実現することを含む前記ロック部材を特徴とする請求項２に記載の搾り器のブランキング装置。
【請求項５】
前記蓋板の両側面にピン軸がそれぞれ固定的に設けられ、前記ピン軸が前記固定ベースに伸び且つ係合して固定され、前記固定ベースの外側面に回転軸が設けられ、前記ラグ内に回動台が固定的に設けられ、前記回転軸は、前記回動台内に回動的に設けられることを特徴とする請求項３に記載の搾り器のブランキング装置。
【請求項６】
前記ダッシュパネルの相対する両側面にＵ字状開口がそれぞれ設けられることを特徴とする請求項１に記載の搾り器のブランキング装置。
【請求項７】
前記蓋板の底面に大容量の収容室が設けられることを特徴とする請求項１に記載の搾り器のブランキング装置。
【請求項８】
前記ブランキング板の上部エッジが前記ダッシュパネルの上部エッジより低いことを特徴とする請求項１に記載の搾り器のブランキング装置。
【請求項９】
搾り器本体を含み、さらに請求項１〜８のいずれかの搾り器本体に設けられる前記搾り器のブランキング装置を含むことを特徴とする搾り器。